(57)【要約】【課題】人体に対する安全性に優れ、良好な抗菌、防カビ及び消臭効果を有する洗濯用又は掃除用抗菌・防カビ部材を提供する。【解決手段】本考案に係る洗濯用又は掃除用抗菌・防カビ部材１は、卵殻、牡蠣殻、ホタテ貝殻、ホッキ貝殻及び珊瑚殻からなる群より選ばれる少なくとも１種の焼成物に加水し、粉砕してなる水酸化カルシウム粉末、及びアニオン性ポリビニルアルコールを少なくとも含む押出造粒物１１と、押出造粒物１１を内部に収納し、かつ、内部まで貫通する貫通孔を少なくとも一部に備えた袋状の収納部１２とを備え、前記水酸化カルシウム粉末の含有量が、押出造粒物１１の全質量に対し１質量％〜９９．９質量％の範囲であることを特徴とする。【選択図】  図１
0003229842.tif 000002
【実用新案登録請求の範囲】
【請求項１】
卵殻、牡蠣殻、ホタテ貝殻、ホッキ貝殻及び珊瑚殻からなる群より選ばれる少なくとも１種の焼成物に加水し、粉砕してなる水酸化カルシウム粉末、及びアニオン性ポリビニルアルコールを少なくとも含む押出造粒物と、
前記押出造粒物を内部に収納し、かつ、内部まで貫通する貫通孔を少なくとも一部に備えた袋状の収納部とを備えることを特徴とする洗濯用又は掃除用抗菌・防カビ部材。
【請求項２】
前記押出造粒物の水分量が、当該押出造粒物の全質量に対し４質量％以下であり、
前記水酸化カルシウム粉末の含有量が、前記押出造粒物の全質量に対し９５質量％〜９９質量％の範囲であり、
前記アニオン性ポリビニルアルコールの含有量が、前記押出造粒物の全質量に対し１質量％〜１．５質量％の範囲であることを特徴とする請求項１に記載の洗濯用又は掃除用抗菌・防カビ部材。
【考案の詳細な説明】
【技術分野】
【０００１】
本考案は、生物由来の水酸化カルシウム粉末及びアニオン性ポリビニルアルコールを含んだ押出造粒物と、当該押出造粒物を内部に収容し、貫通性を有する不織布又はメッシュ状の収納袋とを備え、抗菌、防カビ及び消臭性能に優れた洗濯用又は掃除用抗菌・防カビ部材に関する。
【背景技術】
【０００２】
現在、家庭等で普及している洗濯機は、洗濯槽と水受け槽の二重構造となっている。そのため、洗濯槽の内壁面は被洗濯物との接触により汚れ成分の付着及び蓄積は起こり難いが、洗濯槽の外壁面は被洗濯物との接触がなく、また水の動きが少ないために汚れ成分が付着し、蓄積し易い構造となっている。この汚れ成分は、主に被洗濯物に由来する有機物の垢、油脂、鉱物油、土及び糸屑等や、洗浄剤組成物中の成分と水に含まれているカルシウム及びマグネシウム等の金属多価イオンとが反応してなる水不溶性の塩類等である。そして、この様な付着物にカビ及び細菌類が生息する様になり、黒く汚れて悪臭を発生することがある。また、これらが脱落して、洗濯物に再度付着するなどの問題を生じる。
【０００３】
この様な問題に対し、例えば、特許文献１には、洗濯槽の外壁面を洗浄するための洗浄剤として、石けんカス除去剤が開示されている。この特許文献１によれば、石けんカス除去剤には、次亜塩素酸ソーダ、水酸化ナトリウム及び界面活性剤を含有させることが記載されている。また、特許文献２には、塩素化イソシアヌル酸、アルカリビルダー及びノニオン系界面活性剤からなる洗浄剤が記載されている。さらに、特許文献３〜５にも洗濯槽用洗浄剤組成物が記載されているが、いずれの洗浄剤も抗菌、防カビ及び消臭等の効果が不十分である。
【先行技術文献】
【特許文献】
【０００４】
【特許文献１】特開昭５９−７１３９９号公報
【特許文献２】特開平１−２１３４００号公報
【特許文献３】特開平１１−２３６５９８号公報
【特許文献４】特開平１１−７１５９７号公報
【特許文献５】特開平９−５３０９６号公報
【考案の概要】
【考案が解決しようとする課題】
【０００５】
本考案は、前記問題点に鑑みなされたものであり、その目的は、人体に対する安全性に優れ、良好な抗菌、防カビ及び消臭効果を有する抗菌・防カビ部材を提供することにある。
【課題を解決するための手段】
【０００６】
本考案に係る洗濯用又は掃除用抗菌・防カビ部材は、前記の課題を解決するために、卵殻、牡蠣殻、ホタテ貝殻、ホッキ貝殻及び珊瑚殻からなる群より選ばれる少なくとも１種の焼成物に加水し、粉砕してなる水酸化カルシウム粉末、及びアニオン性ポリビニルアルコールを少なくとも含む押出造粒物と、前記押出造粒物を内部に収納し、かつ、内部まで貫通する貫通孔を少なくとも一部に備えた袋状の収納部とを備えることを特徴とする。
【０００７】
前記の構成に於いては、前記押出造粒物の水分量が、当該押出造粒物の全質量に対し４質量％以下であり、前記水酸化カルシウム粉末の含有量が、前記押出造粒物の全質量に対し９５質量％〜９９質量％の範囲であり、前記アニオン性ポリビニルアルコールの含有量が、前記押出造粒物の全質量に対し１質量％〜１．５質量％の範囲であることが好ましい。
【考案の効果】
【０００８】
本考案に係る洗濯用又は掃除用抗菌・防カビ部材は、貫通孔を有する袋状収納部の内部に押出造粒物が収納された構造である。この押出造粒物は、水酸化カルシウム粉末を含有するため、抗菌性、防カビ性及び消臭性に優れる。また、水酸化カルシウム粉末は、卵殻、牡蠣殻、ホタテ貝殻、ホッキ貝殻及び珊瑚殻からなる群より選ばれる少なくとも１種を焼成した後に加水し、粉砕したものからなる。すなわち、水酸化カルシウム粉末は生物由来であるため、人体に対する安全性に優れている。また、押出造粒物は、アニオン性ポリビニルアルコールを含有しており、当該アニオン性ポリビニルアルコールはバインダーとして優れた性能を発揮する。これにより、例えば、本考案の洗濯用又は掃除用抗菌・防カビ剤を洗濯槽の洗浄や被洗濯物の洗濯の際に加えても、押出造粒物が水に一度に溶解するのを抑制又は低減することができる。その結果、本考案の洗濯用又は掃除用抗菌・防カビ剤は、優れた抗菌性、防カビ性及び消臭性を維持した状態で複数回使用することができる。
【図面の簡単な説明】
【０００９】
【図１】本考案の実施の一形態に係る洗濯用又は掃除用抗菌・防カビ部材を表す斜視図である。
【図２】本考案の洗濯用又は掃除用抗菌・防カビ部材に於いて、収納袋に収納される押出造粒物を表す説明図である。
【図３】本考案の洗濯用又は掃除用抗菌・防カビ部材の収納袋を表す斜視図である。
【考案を実施するための形態】
【００１０】
本実施の形態に係る洗濯用又は掃除用抗菌・防カビ部材（以下、「抗菌・防カビ部材」という。）について、図１に基づき以下に説明する。図１は、抗菌・防カビ部材を表す斜視図である。図２は、抗菌・防カビ部材の収納袋に収納される押出造粒物を表す説明図である。図３は、前記収納袋を表す斜視図である。
【００１１】
図１に示す様に、本実施の形態の抗菌・防カビ部材１は、押出造粒物１１と、当該押出造粒物１１を内部に収納する収納袋（袋状の収納部）１２とを少なくとも備える。
【００１２】
ここで、本明細書に於いて「抗菌」及び「抗菌性」とは、ＪＩＳ  Ｌ  １９０２：２０１５で規定される様に、「細菌の増殖を抑制させる性質」を意味する。また、本明細書に於いて「防カビ」及び「防カビ性」とは、カビの発生及び増殖を遅延ないし阻止することを意味し、例えば、ＪＩＳ  Ｚ  ２９１１：２０１０で規定されるカビ抵抗性試験により評価することができる。さらに、本明細書に於いて「消臭」及び「消臭性」とは、雑菌の繁殖に伴い発生する臭気物質を分解して臭気物質を除去する意味の他、臭気物質の生成そのものを抑制する制臭性をも含む意味である。
【００１３】
押出造粒物１１は、少なくとも水酸化カルシウム粉末及びアニオン性ポリビニルアルコールを混合・混練して押出造粒し得られるものである。
【００１４】
水酸化カルシウム粉末は強アルカリ性を示すことから、水酸化カルシウム粉末を含有させることにより、雑菌の増殖を抑制することができる。また、水酸化カルシウム粉末は防カビ効果も有するため、カビの増殖を抑制又は低減することができる。その結果、抗菌性、防カビ性及び消臭性に優れた抗菌・防カビ部材１の提供が可能になる。
【００１５】
水酸化カルシウム粉末は生物由来であり、卵殻、牡蠣殻、ホタテ貝殻、ホッキ貝殻及び珊瑚殻からなる群より選ばれる少なくとも１種（以下、「卵殻等」という場合がある。）の焼成物に加水し、粉砕したものからなる。
【００１６】
卵殻等の焼成物は焼成カルシウム（酸化カルシウム（ＣａＯ））からなり、卵殻等を高温焼成することで得られる。卵殻等は、通常、廃棄処理されるものであるところ、これを焼成カルシウムの原料に用いることで、原料の調達コストを抑制することができ、廃棄物の有効利用が図られる。また、卵殻等は炭酸カルシウム（ＣａＣＯ３）を主成分としており、その焼成物は高い消臭性と抗菌性を備える。
【００１７】
焼成カルシウムは、卵殻等の原料を水で粗洗浄した後に乾燥し、粉砕を行う。さらに、粉砕で得られた粗粉砕物を焼成することで得ることができる。
【００１８】
粗洗浄は、原料の表面等に付着している汚れや有機物を除去するために行われる。粗洗浄の洗浄時間や洗浄方法は、汚れ等が除去可能であれば特に限定されない。
【００１９】
また、乾燥の方法は特に限定されず、自然乾燥、熱風乾燥又は加熱乾燥等を採用することができる。さらに、乾燥時間及び乾燥温度等の乾燥条件についても特に限定されず、適宜必要に応じて設定可能である。
【００２０】
粉砕の方法は特に限定はされず、ボールミル又はロールミル等の公知の粉砕機を使用することができる。粉砕物の粒度についても特に限定はなく、粗粉砕程度でもよい。
【００２１】
卵殻等の焼成は、当該卵殻等を酸化して、即ち、炭酸カルシウムを酸化して酸化カルシウムを生成させるために行われる。従って、焼成は酸化雰囲気で行われるのが好ましく、通常は大気中で行われる。焼成温度及び焼成時間は、原料が十分に焼成される条件であれば特に限定されない。例えば、原料が卵殻である場合、焼成温度は８００℃〜１１５０℃の範囲内が好ましく、８５０℃〜１１５０℃の範囲内がより好ましく、約１０００℃が特に好ましい。また、焼成時間は０．５時間〜１時間の範囲内が好ましい。また、原料がホタテ貝殻である場合、焼成温度は同じく８００℃〜１１５０℃の範囲内が好ましく、８５０℃〜１１５０℃の範囲内がより好ましく、約１０００℃が特に好ましい。また、焼成時間も同じく０．５時間〜１時間の範囲内が好ましい。
【００２２】
尚、粗粉砕物については、焼成前にさらに煮沸及び洗浄を行い、付着している汚れや有機物等の除去を行ってもよい。
【００２３】
水酸化カルシウムは、前述のようにして得られた焼成カルシウム（酸化カルシウム）に加水することで、酸化カルシウムを水和して得られる。得られた水酸化カルシウムの固体に対しては、さらに粉砕により微粉末にする。これにより、水酸化カルシウム粉末が得られる。粉砕方法としては特に限定されず、例えば、エアジェットミル、ボールミル、ロールミル等の公知の粉砕機を使用することができる。
【００２４】
水酸化カルシウム粉末の平均粒径は特に限定されないが、通常は３．６μｍ〜１５μｍの範囲内が好ましく、４μｍ〜１５μｍの範囲内がより好ましく、４μｍ〜１０μｍの範囲内が特に好ましい。前記数値範囲の平均粒径を有する水酸化カルシウム粉末を用いたことで、水酸化カルシウム粉末を押出造粒物１１中に均一に分散させることができる。これにより、押出造粒物１１に於いて、抗菌性能や消臭性能にバラツキが生じるのを抑制する。尚、卵殻はホタテ貝殻等の貝殻と異なり含有する不純物が少ない。そのため、前述の貝殻の場合に比較して、高純度の水酸化カルシウム粉末を得ることができる。
【００２５】
水酸化カルシウム粉末の含有量は、溶融混練物の全質量に対し９５質量％〜９９質量％の範囲が好ましく、より好ましくは９７質量％〜９９質量％、さらに好ましくは９８．５質量％〜９９質量％である。水酸化カルシウム粉末の含有量を９５質量％以上にすることにより、良好な抗菌性、防カビ性及び消臭性を発揮させることができる。その一方、水酸化カルシウム粉末の含有量を９９質量％以下にすることにより、機械的強度及び耐久性が低下するのを抑制することができる。
【００２６】
アニオン性ポリビニルアルコールは水酸化カルシウム粉末同士の結合性を高める結合剤としての機能を果たす。その様なアニオン性ポリビニルアルコールとしては、例えば、ポリビニルアルコールにカルボキシル基、スルホン酸基、リン酸基等のアニオン基を導入したものが挙げられる。より具体的には、ポリビニルアルコールにマレイン酸、フマル酸、フタル酸、蓚酸、マロン酸、コハク酸若しくはアジピン酸等の２塩基酸、又はその無水物を反応させたカルボキシル基変性ポリビニルアルコールが挙げられる。また、アニオン性ポリビニルアルコールは、エチレンスルホン酸、アリルスルホン酸、メタアリルスルホン酸、２−アクリルアミド−２−メチルプロパンスルホン酸又はそれらのエステルや塩と、酢酸ビニルとを共重合させ、その後に鹸化したスルホン酸基変性ポリビニルアルコール等であってもよい。
【００２７】
アニオン性ポリビニルアルコールとしては市販品を用いることが可能であり、その様なものとしては、例えば、三菱化学（株）製のゴーセネックス（登録商標）Ｔ−３３０（商品名）等が挙げられる。
【００２８】
アニオン性ポリビニルアルコールの含有量は、押出造粒物１１の全質量に対し１質量％〜１．５質量％の範囲が好ましく、より好ましくは１質量％〜３質量％、さらに好ましくは１質量％〜１．５質量％である。アニオン性ポリビニルアルコールの含有量を１質量％以上にすることで、当該アニオン性ポリビニルアルコールが有するバインダーとしての機能により、押出造粒物１１を水中に浸漬しても当該押出造粒物１１が早期に溶解し、再度使用できなくなるのを防止することができる。その一方、アニオン性ポリビニルアルコールの含有量を１．５質量％以下にすることにより、押出造粒物１１が有する抗菌性、防カビ性及び消臭性の機能が低下し過ぎるのを抑制することができる。
【００２９】
押出造粒物１１は略円柱状の形状を有する。押出造粒物１１の長さ（高さ）は３ｍｍ〜１８ｍｍの範囲内が好ましく、３ｍｍ〜１５ｍｍの範囲内がより好ましく、５ｍｍ〜１０ｍｍの範囲内が特に好ましい。また、押出造粒物１１の長さ方向とは垂直の断面における直径は、３ｍｍ〜１０ｍｍの範囲内が好ましく、３ｍｍ〜８ｍｍの範囲内がより好ましく、５ｍｍ〜８ｍｍの範囲内が特に好ましい。尚、本考案の押出造粒物１１は略円柱状の場合に限定されるものではなく、平板状、偏平柱状、偏平円柱状、偏平角柱状、塊状、球状等であってもよい。
【００３０】
また、押出造粒物１１に含まれる水分量は、当該押出造粒物１１の全質量に対し、４質量％以下であることが好ましく、２．５質量％以下であることがより好ましく、２質量％以下であることが特に好ましい。水分量を４質量％以下にすることにより、押出造粒物１１が水中に投下されたときの水に対する崩壊性を低下させることができる。
【００３１】
押出造粒物１１には、本考案の効果を損なわない範囲で、必要に応じて添加剤が含有されていてもよい。添加剤としては、例えば帯電防止剤、酸化防止剤、紫外線吸収剤、光安定剤、着色剤、アンチブロッキング剤、造核剤、滑剤、中和剤等が挙げられる。
【００３２】
本実施の形態の押出造粒物１１は、例えば、湿式の押出造粒により作製可能である。より具体的には、水酸化カルシウム粉末に対し、アニオン性ポリビニルアルコールを含む水溶液を滴下し、又はスプレー等で噴霧して湿潤させ、混練機を用いて混合・混練を行う。その後、スクリュー、プランジャー又はローラ等による圧力を混練物に加え、混練物を押し出す。押し出された混練物をカッターで切断し、円柱状の造粒物を得る。この造粒物を、水分量が全質量に対し５質量％以下となるまで乾燥させ、これにより本実施の形態の押出造粒物１１を得ることができる。造粒物を乾燥する際の乾燥方法は特に限定されず、例えば、加熱乾燥及び熱風乾燥等が挙げられる。また、乾燥温度及び乾燥時間等の乾燥条件も、前述の通り、水分量を５質量％以下にまで低減できるのであれば特に限定されず、水酸化カルシウム粉末及びアニオン性ポリビニルアルコールの添加量や、アニオン性ポリビニルアルコールの種類等に応じて適宜設定することができる。尚、円柱状の造粒物を乾燥させる前に、整形機を用いて造粒物を略球状等に整形してもよい。これにより、略円柱状等の押出造粒物を製造することもできる。
【００３３】
押出造粒物１１の製造に用いる造粒機としては特に限定されず、例えば、フロント押出式造粒機、サイト押出式造粒機、ローラ押出造粒機、プランジャー押出造粒機等が挙げられる。
【００３４】
本実施の形態の収納袋１２は、平面視に於いて全体形状が矩形の袋状であり、その全面に、内部まで貫通するメッシュ状の複数の貫通孔を備えた構造を有している。ここで、本明細書に於いて、「メッシュ状」とは、規則的又は不規則的な形状及び配置を有する複数個の貫通孔が形成されている状態を意味する。メッシュ状の貫通孔は、収納袋１２の全面に設けられている。収納袋１２がメッシュ状の貫通孔を備えることで、本考案の抗菌・防カビ部材１を水中に浸漬させた際、押出造粒物１１から溶出する水酸化カルシウムを、当該貫通孔を介して収納袋１２の系外に排出することができる。これにより、抗菌・防カビ部材１は洗濯槽内の水に対し抗菌、防カビ及び消臭効果を付与することができる。
【００３５】
尚、本考案の収納袋は、平面視に於いて全体形状が矩形状のものに限定されず、例えば、円形状等であってもよい。また、本考案は、メッシュ状の貫通孔が収納袋の全面に設けられる場合に限定されず、収納袋の少なくとも一部に設けられていてもよい。さらに本考案の収納袋は、メッシュ状の貫通孔を備えたものに限定されるものではなく、例えば、貫通性を有する不織布からなる収納袋であってもよい。
【００３６】
貫通孔の開口面積は少なくとも、当初、押出造粒物１１を収納袋１２内に収納させた際に、当該押出造粒物１１が貫通孔から収納袋１２の系外に流出しない程度であれば特に限定されない。
【００３７】
収納袋１２の材質としては特に限定されず、例えば、不織布、織物、編物等が挙げられる。また、これらを構成する繊維素材としては水不溶性のものであれば特に限定されず、例えば、ポリエチレン、ポリプロピレン、レーヨン、ポリエステル、ナイロン（登録商標）、ビニロン、アクリル、ウール、綿、パルプ、ポリ乳酸、スチール、ステンレス等が挙げられる。
【００３８】
収納袋１２の大きさは特に限定されず、内部に収納する押出造粒物１１の大きさや量等に応じて適宜設定すればよい。
【００３９】
本実施の形態の抗菌・防カビ部材１は、例えば、洗濯機の洗濯槽内の洗浄、並びに衣類等の被洗濯物の洗濯及びすすぎ等の際に、これを洗濯槽内に投入しておくだけで、生物由来の水酸化カルシウムを除々に放出する。これにより、人体に対する安全性が確保された状態で、洗濯槽に対する抗菌、防カビ及び消臭効果を発揮することができる。また、本実施の形態の抗菌・防カビ部材１は押出造粒物１１が水に一度に溶解されるものではないため、長期にわたって抗菌、防カビ及び消臭効果を維持することができ、複数回使用することができる。
【符号の説明】
【００４０】
１  抗菌・防カビ部材
１１  押出造粒物
１２  収納袋
【図１】
0003229842.tif 000003
【図２】
0003229842.tif 000004
【図３】
0003229842.tif 000005